(57)【要約】【課題】  避難者近傍に設置出来て、ある程度の人数が収容可能で、津波が押し寄せて引けるまでの長時間避難滞在を可能とし、且つ、醸造タンクを再利用して設置する為、設置コストや設置時間が軽減する津波シェルターを提供する。【解決手段】  内容量が６ｍ３以上を要した円筒状ホーロータンクを、タンク上面が地面より一段下げた所まで地中に埋設し、その一段下げた空間にタンクを水圧から保護するための鉄筋コンクリートを施行し、その鉄筋コンクリート上に水耐圧気密構造の出入口用ハッチを設けた。【選択図】図１
0003177047.tif 000002
【実用新案登録請求の範囲】
【請求項１】
内容量が６ｍ３以上を要したホーロータンクを、タンク上面が地上面より一段下げた所まで地中に埋設し、その一段下げた空間に水圧から防護する為の鉄筋コンクリートを施し、その鉄筋コンクリートにタンク内出入口用水耐圧気密構造ハッチを取付けたことを特徴とする津波シェルター。
【請求項２】
前記津波シェルターのハッチ裏面に手回し発電付き懐中電灯を設置し、シェルター室内には出入り用梯子と、避難者が座る木製椅子と、減圧弁付き空気ボンベと、酸素農度計とを設置し、ある程度の人数を収納出来、且つ、シェルター内の二酸化炭素を外気に排出する弁を設け、長時間シェルター室内に避難できることを特徴とする請求項１記載の津波シェルター。
【請求項３】
前記津波シェルター外板には、錆止め塗装を施し、且つ、地下に埋設する際、津波シェルター外周に所要量の空間を空け、その空間にクッション材を施工し、地中の湿気によるシェルター外板の錆防止をおこなうことを特徴とする請求項１〜２いずれか１項記載の津波シェルター。
【請求項４】
前記津波シェルターの出入り口ハッチ周辺を堅牢な所要高を要した鉄筋コンクリート製防護壁で囲んで、ハッチに大型重量物が直に乗らないように防ぎ、防護壁とハッチの間に空間を設け、その空間内でハッチ開閉を可能にして、シェルター内の酸欠を防止することを特徴とする請求項１〜３いずれか１項記載の津波シェルター。
【考案の詳細な説明】
【技術分野】
【０００１】  本考案は、津波発生時に緊急避難するための地下シェルターに関する。
【背景技術】
【０００２】  東日本大震災では、高台に逃げ遅れた多くの人命が奪われた。又、南海トラフ地震による巨大津波の想定が、マスコミ等で報道され、地域によっては、地震発生から２〜３分後に最大３０ｍクラスの津波が来るとの想定もされている。そうなれば、沿岸地域にいる人々は、高台に逃げる時間的余裕もなく、確実に津波の被害に遭う。【０００３】  その対策として、津波襲来時に海面に浮上する避難シェルターなどがあるが、津波の押し波、引き波によって浮上式シェルターはあちこちに衝突し、中にいる避難者は、相当なダメージを負いかねない。お年寄りなどは、体力が無いため、そのような激しい運動に耐えられないと思われ、浮上式シェルターに逃れても、衝突死する可能性も否定できない。そこで、従来、避難者の近傍に設置し得る、緊急避難用シェルター（特許文献１）や水災害時避難用シェルター（特許文献２）などが提案されている。【０００４】  特許文献１では、ドラム缶を埋設するという構造になっているが、ドラム缶の容量だとせいぜい１人くらいしか避難出来ず、狭い空間で長時間その中に居るということは、体力的、精神的にも苦痛である。又、蓋の構造から考えても、１０ｍ以上の津波の水圧に耐えられる構造にはなっていない。【０００５】  特許文献２では、ＲＣ構造で地下に建設するシェルターとなっているが、改めて地下室建築工事をしなければならないので、そのコストや施工期間は多大で、どこにでも容易に設置できる物でもなく、家屋建設後の後付施設としても容易には出来ない為、実用的ではない。
【先行技術文献】
【特許文献】
【０００６】
【特許文献１】  特開２００３−２０６６３
【特許文献２】  実用新案登録第３１７１２３５号
【考案の概要】
【考案が解決しようとする課題】
【０００７】  本考案は、避難者近傍に容易に設置出来て、ある程度の人数が収容可能で、完全に津波が押し寄せて引けるまでの長時間避難滞在を可能とし、且つ、醸造タンクを再利用して設置する為、設置コストや設置時間が軽減される津波シェルターを提供することを目的とする。
【課題を解決するための手段】
【０００８】  上記課題を解決するため、本考案の津波シェルターは、内容量が６ｍ３以上を要した円筒状ホーロータンクを、タンク上面が地面より一段下げた所まで地中に埋設し、その一段下げた空間にタンクを水圧から保護するための鉄筋コンクリートを施工し、その鉄筋コンクリート上に水耐圧気密構造の出入口用ハッチを設けたことを特徴とする。【０００９】  日本国内の清酒の需要は年々低下しており、それに伴って不要となった醸造タンクが多くなっている。醸造タンクは大きく、材質がホーローの為、廃棄するのにもかなりの手間がかかり、処分に困窮している醸造会社も多いのが実状である。本考案の津波シェルターは、不要となった清酒の醸造タンク内を洗浄し、再利用することで、その問題を解決することが出来る。【００１０】  前記津波シェルターのハッチ裏面に手回し発電付き懐中電灯を設置し、シェルター室内には出入り用梯子と、避難者が座る木製椅子と、減圧弁付き空気ボンベと、酸素農度計とを設置し、ある程度の人数を収納出来、且つ、長時間シェルター室内に避難出来るようにする。【００１１】  更に、前記津波シェルター外板には、錆止め塗装を施し、且つ、地下に埋設する際、津波シェルター外周に所要量の空間を空けて、その空間にクッション材を施工し、地中の湿気によるシェルター外板の錆防止をおこなう。【００１２】  又、前記津波シェルターの出入り口ハッチ周辺を堅牢な所要高を要した鉄筋コンクリート製防護壁で囲んで、ハッチに大型重量物が直に乗らないように防ぎ、防護壁とハッチの間に空間を設けて、その空間内でハッチ開閉を可能にして、シェルター内の酸欠を防止する構造も伴っている。
【考案の効果】
【００１３】  本考案によれば、ある程度の人数が収容出来、完全に津波が押し寄せて引けるまでの長時間避難滞在を可能とし、且つ、醸造タンクを再利用して設置する為、設置コストや時間が軽減される津波シェルターを提供することが出来る。
【図面の簡単な説明】
【００１４】
【図１】津波シェルターの一つの実施の形態を示す概略斜視図である。
【図２】津波シェルターの一つの実施の形態を示す概略設置断面図である。
【図３】津波シェルターの一つの実施の形態を示す概略平面図である。
【考案を実施するための形態】
【００１５】  以下、図面に基づいて本考案の実施の形態について説明するが、本実施例は一つの形態を示した物で、本考案の請求項から逸脱していなければ多様な対応の実施を行う事も出来る。
【００１６】  図１は、上面が開放された円筒型ホーロー醸造タンクを津波シェルター１として再利用し、地中２ｂに埋設した状態を示したものである。津波シェルター１の外板には、錆止め塗装が施され、津波シェルター１の設置下面には、所要の厚さのコンクリート土台３が敷設され、外周には、クッション材４が設けられている。これらの施工により、津波シェルター１の外板が、地中の湿気によって錆が発生しないようにする。
【００１７】  津波シェルター１の上面には、所要の厚さの水耐圧鉄筋コンクリート５が津波シェルター１の直径よりも大きく、地中２ｂ内に水耐圧鉄筋コンクリート５の上面が地面２ａと同一面になるように設けている。水耐圧鉄筋コンクリート５の中央部には、直径５０ｃｍ以上の出入り口６が開き、その直下にある津波シェルター１の内部と導通する。出入り口６の上面には、人力での開閉可能な水耐圧気密構造ハッチ７（以下ハッチ７と称する）が、水耐圧鉄筋コンクリート５面上に設けられている。そのハッチ７の四方を取り囲むように、所要の高さの防護コンクリート壁８が水耐圧鉄筋コンクリート５上に設けられている。これは、津波襲来後に大型重量物がハッチ７上に乗っかって、ハッチ７が開けられなくなるのを防ぐ為に設けた物で、万が一、防護コンクリート壁８上に大型重量物が乗ったとしても、防護コンクリート壁８内の空間で、ハッチ７が開閉出来るようにした物である。又、防護コンクリート壁８の下部には、所要の大きさを呈した水抜け穴８ａが所要数空き、津波襲来時に防護コンクリート壁８内に水が溜まらないように水抜け機能を設けている。
【００１８】  津波シェルター１上面の出入り口６の下面の一部には、梯子９の片端が固定され、津波シェルター１内に下がって取付けられている。シェルター１内の内面外周には、所要数の減圧弁付き空気ボンベ１０が固定器具１１によって固定され、更に津波シェルター１内上面の一部にフック１２ａと固定器具１１のフック１２ｂに連結されたチェーン１２で、減圧弁付き空気ボンベ１０の転倒防止の役割を担っている。固定器具１１に隣接した木製椅子１３が所要数設けられ、定員数の避難者１４が座れるようになっていて、固定器具１１と木製椅子１３は連結棒１５で連結されている。
【００１９】  図２に示すように、木製椅子１３の座面は開閉式の扉１３ｄが付いていて、その中には、乾パン１３ａ、ミネラルウォーター１３ｂ、簡易トイレ１３ｃが収納できる構造となっている。又、ハッチ７の下面には、手回し発電機付き懐中電灯１７が仮止めされ、固定器具１１の一部には酸素濃度計１６が仮止めされている。更に、水耐圧鉄筋コンクリート５の一部には、津波シェルター１内の二酸化炭素等を排気する排気弁１８が設けられている。排気弁１８は、外からの水圧がかかると中の弁が閉じて津波シェルター１内に水が入らず、水圧がかからなくなると、津波シェルター１内の二酸化炭素を排気する機構となっている。
【００２０】  以上のように構成された津波シェルター１は、避難者１４がいる近傍に設置され、地震発生後に避難者１４の一人がハッチ７を開け、手回し発電機付き懐中電灯１７を手に取って点灯し、梯子９で下りて、次の避難者１４を誘導する。避難者１４が定員数に達したら、ハッチ７を閉めてロックする。
津波が押し寄せると、津波は水耐圧鉄筋コンクリート５とハッチ７上を通過し、水耐圧鉄筋コンクリート５と気密耐圧構造のハッチ７で、最大４０ｍの津波の水圧にも耐え、津波シェルター１内への水の侵入を防ぎ、複数の避難者１４を津波の災害から守ることが出来る。
【００２１】  更に、津波シェルター１内の酸素濃度を酸素濃度計１６で測定し、酸素危険領域である濃度１８％近傍に下がったら、減圧弁空気ボンベ１１の開閉バルブを少し開け、津波シェルター１内に空気を充満させ、酸素濃度を高める。又、津波引き波後の合間を縫って排気弁１８が内圧によって開き、外気に二酸化炭素等を排気し、木製椅子１３内の乾パン１３ａ、ミネラルウォーター１３ｂ、簡易トイレ１３ｃなどによって、長時間、避難者１４が津波シェルター１内に滞在出来るようになっている。
【００２２】  図３では、前記したように、減圧弁付き空気ボンベ１０は津波シェルター１内とチェーン１２で連結された固定器具１１によって固定され、その固定器具１１と互いに連結している連結棒１５と木製椅子１３によって一体化となっている。固定器具１１には、ロック付き扉１９が付いており、減圧弁付き空気ボンベ１０の出し入れが可能となっていて、減圧弁付き空気ボンベ１０を取り出す際はロックを外して扉１９を開け、減圧弁付き空気ボンベ１０を収納するときは、扉１９を閉めて扉１９をロックする。このように、津波発生前は大きな地震が発生するため、これらが津波シェルター１内で転倒及び散乱しないような構造になっている。
【００２３】  このように、津波シェルター１は、地震発生から津波襲来までの間、高台に逃げる時間的余裕が無い地域の箇所に適宜設置され、地域住民の人命を津波から守る事が出来ると共に、津波シェルター１の設置前に当該県の管轄防災センターに事前登録しておくと、行政機関との連携のもと、津波災害後に場所が特定され、救助活動を行うという制度を設ける事によって、万が一、防護コンクリート８上に大型重量物が乗っかって脱出不能になったとしても、優先的に救助される事となる。
【産業上の利用可能性】
【００２４】  本考案の津波シェルターは、行政機関、一般企業、家屋の敷地内など、わずかなスペースでも設置することが出来る。
【符号の説明】
【００２５】  １    津波シェルター
２ａ  地面
２ｂ  地中
３    コンクリート土台
４    クッション材
５    水耐圧鉄筋コンクリート
６    出入り口
７    ハッチ
８    防護コンクリート壁
８ａ  水抜き穴
９    梯子
１０    減圧弁付き空気ボンベ
１１    固定器具
１２    チェーン
１２ａ  フック
１２ｂ  フック
１３    木製椅子
１３ａ  乾パン
１３ｂ  ミネラルウォーター
１３ｃ  簡易トイレ
１３ｄ  扉
１４    避難者
１５    連結棒
１６    酸素濃度計
１７    手回し発電機付き懐中電灯
１８    排気弁
１９    扉
【図１】
0003177047.tif 000003
【図２】
0003177047.tif 000004
【図３】
0003177047.tif 000005